(57)【要約】      （修正有）【課題】収縮できる携帯しやすいハンガーを提供する。【解決手段】ハンガーは、握りリング１８を含み、握りリングには上下に伸びているネジ軸４０が設置され、握りリングの下側に位置している折畳箱１９が回転できるように連結される。折畳箱の中には折畳溝２０が設置され、折畳溝の間に位置している離脱チャンバ３７が設置され、離脱チャンバの中には離脱部品が設置され、前記離脱部品が前記横木２１の広がる角度を制御する。同じ軸で異なる固定条件のもとでの異なる広がりと収縮により、ハンガーの作動状態と遊ぶ状態との間の転換が実現され、また変化できるハンガーの夾角の角度の構成により、ハンガーに服をかけるとハンガーから服を取る動作を最適化し、服の形を崩れないように保護する。【選択図】図１
2020175120.tif 000002
【特許請求の範囲】
【請求項１】
握りリングを含み、前記握りリングには上下に伸びているネジ軸が設置され、前記ネジ軸には前記握りリングの上側に位置している収納箱が回転できるように連結され、前記収納箱の中には上方に開口した隠し溝が設置され、前記ネジ軸には前記隠し溝の中に位置している収縮フック装置が設置され、前記隠し溝の中の左右端の内壁の中には対称であるロックプッシュ部品が設置され、前記ロックプッシュ部品が前記収縮フック装置に制御されており、前記ネジ軸には前記握りリングの下側に位置している折畳箱が回転できるように連結され、前記折畳箱の底部外側には左右対称であるロック可能な遮蔽蓋装置が設置され、前記ロック可能な遮蔽蓋装置が前記ロックプッシュ部品に制御されており、前記折畳箱の中には左右対称であり、且つ開口が対称中心側から離れている折畳溝が設置され、前記折畳溝の中には前後に伸びている回転軸が設置され、前記回転軸には横木が回転できるように連結され、前記折畳箱の中には前記折畳溝の間に位置している離脱チャンバが設置され、前記離脱チャンバの中には離脱部品が設置され、前記離脱部品が前記横木の広がる角度を制御することを特徴とする収縮できる携帯しやすいハンガー。
【請求項２】
前記収縮フック装置は前記隠し溝の中に位置しており、且つ前記ネジ軸と嵌めるように連結されている固定ヒンジ連結盤を含み、前記ネジ軸には前記固定ヒンジ連結盤の上側に位置している活動ヒンジ連結盤がねじ山により連結され、前記活動ヒンジ連結盤には前記固定ヒンジ連結盤とヒンジにより連結され、且つ左右対称であるヒンジ連結フレームがヒンジにより連結され、前記活動ヒンジ連結盤の下側と前記固定ヒンジ連結盤の上側との間には捻りばねが連結され、前記活動ヒンジ連結盤の上側にはスタンドがスライドできるように連結され、前記スタンドの上側にはフックが設置されることを特徴とする請求項１に記載の収縮できる携帯しやすいハンガー。
【請求項３】
前記ロックプッシュ部品は前記隠し溝の左右端の内壁とスライドできるように連結され、且つ対称である押出ロッドを含み、前記押出ロッドのうち対称中心に接近している一端には前記ヒンジ連結フレームと当接している当接板が設置され、前記当接板のうち対称中心から離れている側と前記隠し溝の内壁との間には復帰ばねが連結されることを特徴とする請求項１又は請求項２に記載の収縮できる携帯しやすいハンガー。
【請求項４】
前記ロック可能な遮蔽蓋装置は、前記折畳箱の下側に固定的に連結され、且つ左右対称であるスライドフレームを含み、前記スライドフレームには遮蔽蓋がスライドできるように連結され、前記遮蔽蓋のうち対称中心に接近している側にはスライドレールが設置され、前記スライドレールにはスライドロッドがスライドできるように連結され、前記スライドロッドのうち対称中心から離れている側と前記遮蔽蓋のうち対称中心に接近している側との間には圧縮バネが連結され、前記スライドロッドのうち対称中心に接近している一端には前記横木と当接しているローラが回転できるように連結され、前記遮蔽蓋の頂端にはリミットボールが設置され、前記リミットボールにはロック板が回転できるように連結され、前記ロック板と前記リミットボールとの互いに接近している側にはリターンバネが連結され（附図に示していない）、前記ロック板の中には開口が対称中心側に向いているロック溝が設置され、前記ロック溝のうち対称中心から離れている側の内壁と前記ロック溝の頂端の内壁との間には通気管が連通して設置され、前記通気管の水平端には前記押出ロッドと当接している足踏み式ポンプが連通して設置され、前記通気管の鉛直端にはピストンがスライドできるように連結され、前記ピストンの下側には前記押出ロッドと当接している磁力棒が設置されることを特徴とする請求項１又は請求項３に記載の収縮できる携帯しやすいハンガー。
【請求項５】
前記離脱部品は前記離脱チャンバの底端内壁に固定的に連結されている支持柱を含み、前記支持柱の上端末端には連結板が設置され、前記連結板には左右対称である固定棒状体が設置され、前記離脱チャンバの左右端内壁には対称であるプッシュロッドがスライドできるように連結され、前記プッシュロッドには前記横木と当接する抑制ブロックが設置され、前記プッシュロッドには前記離脱チャンバの中に位置している引き板がヒンジにより連結され、前記引き板には前記固定棒状体とスライドできるように連結されている連通溝が設置され、前記引き板と前記支持柱との互いに接近している側には止めバネが連結され、前記ネジ軸には前記離脱チャンバの中に位置している昇降枠がねじ山により連結され、前記昇降枠と前記引き板との間が当接して連結され、前記昇降枠の上側と前記離脱チャンバの頂端内壁との間には引っ張りバネが連結され、前記離脱チャンバの頂端内壁には前記ネジ軸の左端に位置している平滑ロッドが設置され、前記平滑ロッドと前記昇降枠との間がスライドできるように連結されることを特徴とする請求項１に記載の収縮できる携帯しやすいハンガー。
【発明の詳細な説明】
【技術分野】
【０００１】
本発明は生活用品技術分野に関わり、具体的には収縮できる携帯しやすいハンガーである。
【背景技術】
【０００２】
ハンガーの形は服をかけるために服の両肩に向かって広がるのであり、これではスペースをかなりとる。また冬に着る服の多数は首回りが小さく、ハンガーから取りにくいプルオーバーであり、このような服を乾かそうとする時、容易にハンガーにかけることができない。
【先行技術文献】
【特許文献】
【０００３】
【特許文献１】中国特許出願公開第１０８６０６６０３号明細書
【発明の概要】
【発明が解決しようとする課題】
【０００４】
本発明は収縮できる携帯しやすいハンガーを提供し、既存技術の欠点を解消することを目的とする。
【課題を解決するための手段】
【０００５】
本発明の収縮できる携帯しやすいハンガーは、握りリングを含み、前記握りリングには上下に伸びているネジ軸が設置され、前記ネジ軸には前記握りリングの上側に位置している収納箱が回転できるように連結され、前記収納箱の中には上方に開口した隠し溝が設置され、前記ネジ軸には前記隠し溝の中に位置している収縮フック装置が設置され、前記隠し溝の中の左右端の内壁の中には対称であるロックプッシュ部品が設置され、前記ロックプッシュ部品が前記収縮フック装置に制御されており、前記ネジ軸には前記握りリングの下側に位置している折畳箱が回転できるように連結され、前記折畳箱の底部外側には左右対称であるロック可能な遮蔽蓋装置が設置され、前記ロック可能な遮蔽蓋装置が前記ロックプッシュ部品に制御されており、前記折畳箱の中には左右対称であり、且つ開口が対称中心側から離れている折畳溝が設置され、前記折畳溝の中には前後に伸びている回転軸が設置され、前記回転軸には横木が回転できるように連結され、前記折畳箱の中には前記折畳溝の間に位置している離脱チャンバが設置され、前記離脱チャンバの中には離脱部品が設置され、前記離脱部品が前記横木の広がる角度を制御する。
【０００６】
好ましくは、前記収縮フック装置は前記隠し溝の中に位置しており、且つ前記ネジ軸と嵌めるように連結されている固定ヒンジ連結盤を含み、前記ネジ軸には前記固定ヒンジ連結盤の上側に位置している活動ヒンジ連結盤がねじ山により連結され、前記活動ヒンジ連結盤には前記固定ヒンジ連結盤とヒンジにより連結され、且つ左右対称であるヒンジ連結フレームがヒンジにより連結され、前記活動ヒンジ連結盤の下側と前記固定ヒンジ連結盤の上側との間には捻りばねが連結され、前記活動ヒンジ連結盤の上側にはスタンドがスライドできるように連結され、前記スタンドの上側にはフックが設置される。
【０００７】
好ましくは、前記ロックプッシュ部品は前記隠し溝の左右端の内壁とスライドできるように連結され、且つ対称である押出ロッドを含み、前記押出ロッドのうち対称中心に接近している一端には前記ヒンジ連結フレームと当接している当接板が設置され、前記当接板のうち対称中心から離れている側と前記隠し溝の内壁との間には復帰ばねが連結される。
【０００８】
好ましくは、前記ロック可能な遮蔽蓋装置は、前記折畳箱の下側に固定的に連結され、且つ左右対称であるスライドフレームを含み、前記スライドフレームには遮蔽蓋がスライドできるように連結され、前記遮蔽蓋のうち対称中心に接近している側にはスライドレールが設置され、前記スライドレールにはスライドロッドがスライドできるように連結され、前記スライドロッドのうち対称中心から離れている側と前記遮蔽蓋のうち対称中心に接近している側との間には圧縮バネが連結され、前記スライドロッドのうち対称中心に接近している一端には前記横木と当接しているローラが回転できるように連結され、前記遮蔽蓋の頂端にはリミットボールが設置され、前記リミットボールにはロック板が回転できるように連結され、前記ロック板と前記リミットボールとの互いに接近している側にはリターンバネが連結され（附図に示していない）、前記ロック板の中には開口が対称中心側に向いているロック溝が設置され、前記ロック溝のうち対称中心から離れている側の内壁と前記ロック溝の頂端の内壁との間には通気管が連通して設置され、前記通気管の水平端には前記押出ロッドと当接している足踏み式ポンプが連通して設置され、前記通気管の鉛直端にはピストンがスライドできるように連結され、前記ピストンの下側には前記押出ロッドと当接している磁力棒が設置される。
【０００９】
好ましくは、前記離脱部品は前記離脱チャンバの底端内壁に固定的に連結されている支持柱を含み、前記支持柱の上端末端には連結板が設置され、前記連結板には左右対称である固定棒状体が設置され、前記離脱チャンバの左右端内壁には対称であるプッシュロッドがスライドできるように連結され、前記プッシュロッドには前記横木と当接する抑制ブロックが設置され、前記プッシュロッドには前記離脱チャンバの中に位置している引き板がヒンジにより連結され、前記引き板には前記固定棒状体とスライドできるように連結されている連通溝が設置され、前記引き板と前記支持柱との互いに接近している側には止めバネが連結され、前記ネジ軸には前記離脱チャンバの中に位置している昇降枠がねじ山により連結され、前記昇降枠と前記引き板との間が当接して連結され、前記昇降枠の上側と前記離脱チャンバの頂端内壁との間には引っ張りバネが連結され、前記離脱チャンバの頂端内壁には前記ネジ軸の左端に位置している平滑ロッドが設置され、前記平滑ロッドと前記昇降枠との間がスライドできるように連結される。
【発明の効果】
【００１０】
本発明有益な効果は：本発明装置は一定の条件の下で異なる伸び広がりと収縮を実現し、ハンガーの作動状態と作動しない状態との間の転換を実現し、本来鈍角の三角形ハンガーを円筒状に収縮させ、携帯が便利で、フックが本装置を収納する物に損害を与えることは発生しなく、同時に支持ロッドの間の夾角を変えることを通じて、プルオーバーの干す過程に便利を与える。
【図面の簡単な説明】
【００１１】
説明しやすいため、本発明は以下の具体的な実施例及び附図をもって詳しく叙述される。
【００１２】
【図１】図１は本発明の収縮できる携帯しやすいハンガーの全体構成模式図
【図２】図２は図１の「Ａ」の拡大構成模式図
【図３】図３は図１の「Ｂ―Ｂ」方向の構成模式図
【図４】図４は図１の「Ｃ―Ｃ」方向の構成模式図
【発明を実施するための形態】
【００１３】
下記には図１〜４を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１４】
本発明の収縮できる携帯しやすいハンガーは、握りリング１８を含み、前記握りリング１８には上下に伸びているネジ軸４０が設置され、前記ネジ軸４０には前記握りリング１８の上側に位置している収納箱１０が回転できるように連結され、前記収納箱１０の中には上方に開口した隠し溝１１が設置され、前記ネジ軸４０には前記隠し溝１１の中に位置している収縮フック装置が設置され、前記隠し溝１１の中の左右端の内壁の中には対称であるロックプッシュ部品が設置され、前記ロックプッシュ部品が前記収縮フック装置に制御されており、前記ネジ軸４０には前記握りリング１８の下側に位置している折畳箱１９が回転できるように連結され、前記折畳箱１９の底部外側には左右対称であるロック可能な遮蔽蓋装置が設置され、前記ロック可能な遮蔽蓋装置が前記ロックプッシュ部品に制御されており、前記折畳箱１９の中には左右対称であり、且つ開口が対称中心側から離れている折畳溝２０が設置され、前記折畳溝２０の中には前後に伸びている回転軸２７が設置され、前記回転軸２７には横木２１が回転できるように連結され、前記折畳箱１９の中には前記折畳溝２０の間に位置している離脱チャンバ３７が設置され、前記離脱チャンバ３７の中には離脱部品が設置され、前記離脱部品が前記横木２１の広がる角度を制御する。
【００１５】
有益なように、前記収縮フック装置は前記隠し溝１１の中に位置しており、且つ前記ネジ軸４０と嵌めるように連結されている固定ヒンジ連結盤１６を含み、前記ネジ軸４０には前記固定ヒンジ連結盤１６の上側に位置している活動ヒンジ連結盤４４がねじ山により連結され、前記活動ヒンジ連結盤４４には前記固定ヒンジ連結盤１６とヒンジにより連結され、且つ左右対称であるヒンジ連結フレーム４２がヒンジにより連結され、前記活動ヒンジ連結盤４４の下側と前記固定ヒンジ連結盤１６の上側との間には捻りばね４３が連結され、前記活動ヒンジ連結盤４４の上側にはスタンド４５がスライドできるように連結され、前記スタンド４５の上側にはフック４６が設置される。
【００１６】
有益なように、前記ロックプッシュ部品は前記隠し溝１１の左右端の内壁とスライドできるように連結され、且つ対称である押出ロッド１３を含み、前記押出ロッド１３のうち対称中心に接近している一端には前記ヒンジ連結フレーム４２と当接している当接板１５が設置され、前記当接板１５のうち対称中心から離れている側と前記隠し溝１１の内壁との間には復帰ばね１４が連結される。
【００１７】
有益なように、前記ロック可能な遮蔽蓋装置は、前記折畳箱１９の下側に固定的に連結され、且つ左右対称であるスライドフレーム３０を含み、前記スライドフレーム３０には遮蔽蓋２６がスライドできるように連結され、前記遮蔽蓋２６のうち対称中心に接近している側にはスライドレール２２が設置され、前記スライドレール２２にはスライドロッド２４がスライドできるように連結され、前記スライドロッド２４のうち対称中心から離れている側と前記遮蔽蓋２６のうち対称中心に接近している側との間には圧縮バネ２３が連結され、前記スライドロッド２４のうち対称中心に接近している一端には前記横木２１と当接しているローラ２５が回転できるように連結され、前記遮蔽蓋２６の頂端にはリミットボール１７が設置され、前記リミットボール１７にはロック板１２が回転できるように連結され、前記ロック板１２と前記リミットボール１７との互いに接近している側にはリターンバネが連結され（附図に示していない）、前記ロック板１２の中には開口が対称中心側に向いているロック溝５１が設置され、前記ロック溝５１のうち対称中心から離れている側の内壁と前記ロック溝５１の頂端の内壁との間には通気管４７が連通して設置され、前記通気管４７の水平端には前記押出ロッド１３と当接している足踏み式ポンプ５０が連通して設置され、前記通気管４７の鉛直端にはピストン４８がスライドできるように連結され、前記ピストン４８の下側には前記押出ロッド１３と当接している磁力棒４９が設置される。
【００１８】
有益なように、前記離脱部品は前記離脱チャンバ３７の底端内壁に固定的に連結されている支持柱３５を含み、前記支持柱３５の上端末端には連結板３４が設置され、前記連結板３４には左右対称である固定棒状体３１が設置され、前記離脱チャンバ３７の左右端内壁には対称であるプッシュロッド２９がスライドできるように連結され、前記プッシュロッド２９には前記横木２１と当接する抑制ブロック２８が設置され、前記プッシュロッド２９には前記離脱チャンバ３７の中に位置している引き板３２がヒンジにより連結され、前記引き板３２には前記固定棒状体３１とスライドできるように連結されている連通溝３６が設置され、前記引き板３２と前記支持柱３５との互いに接近している側には止めバネ３３が連結され、前記ネジ軸４０には前記離脱チャンバ３７の中に位置している昇降枠３８がねじ山により連結され、前記昇降枠３８と前記引き板３２との間が当接して連結され、前記昇降枠３８の上側と前記離脱チャンバ３７の頂端内壁との間には引っ張りバネ４１が連結され、前記離脱チャンバ３７の頂端内壁には前記ネジ軸４０の左端に位置している平滑ロッド３９が設置され、前記平滑ロッド３９と前記昇降枠３８との間がスライドできるように連結される。
【００１９】
本発明装置は初期状態にある時、活動ヒンジ連結盤４４と固定ヒンジ連結盤１６との間の距離が一番短く、フック４６を隠し溝１１の中に位置させ、ヒンジ連結フレーム４２を当接板１５と当接させ、また押出ロッド１３を推し動かして足踏み式ポンプ５０を圧させ、足踏み式ポンプ５０の中の気体が通気管４７を通してピストン４８を推し動かし、それにより磁力棒４９を押出ロッド１３と当接させ、遮蔽蓋２６が折畳溝２０の外側に覆われ、またローラ２５と横木２１との当接により、横木２１が折畳溝２０の中に収められ、昇降枠３８が引き板３２と当接していない。
【００２０】
本発明装置が作動する時、まず収納箱１０を握り、握りリング１８を回転させ、それによりネジ軸４０が回転し、ネジ軸４０のねじ山による連結により活動ヒンジ連結盤４４が上昇し、フック４６を隠し溝１１から押し出し、それにより引っ掛けることと取ることが便利になり、活動ヒンジ連結盤４４の上への移動によりヒンジ連結フレーム４２の水平方向の距離が減少され、復帰バネ１４の弾性の復帰を通して押出ロッド１３を連動させて向かい合ってスライドさせ、足踏み式ポンプ５０との当接を放し、この時、遮蔽蓋２６はリミットボール１７がスライドフレーム３０と当接するまで降り、横木２１が回転して外へ広がり、且つ抑制ブロック２８により当接して引っかかリ、その間の夾角は鈍角であり、それにより正常に服を掛けて乾かす機能を果たせる。
【００２１】
首回りが小さくて掛けにくい服を乾かす時、折畳箱１９を握り、握りリング１８を回転させ、それによりネジ軸４０が回転し、ネジ軸４０がねじ山による連結により平滑ロッド３９を引き板３２と当接するまで下へ移動させ、引き板３２が向かい合って回転し、且つ止めバネ３３を圧縮し、プッシュロッド２９により抑制ブロック２８を引き動かして向かい合って移動させ、それにより横木２１の回転する角度がより大きくなり、その間の夾角を鋭角にし、服を掛け又は取ることに便利を与え、服を掛け又は取った後に握りリング１８を放せばよく、引っ張りバネ４１の弾性が復帰することで上記の作動過程を逆方向に作動させ、これにより横木２１が再び伸び広がる。
【００２２】
本発明有益な効果は：本発明装置は一定の条件の下で異なる伸び広がりと収縮を実現し、ハンガーの作動状態と作動しない状態との間の転換を実現し、本来鈍角の三角形ハンガーを円筒状に収縮させ、携帯が便利で、フックが本装置を収納する物に損害を与えることは発生しなく、同時に支持ロッドの間の夾角を変えることを通じて、プルオーバーの干す過程に便利を与える。
【００２３】
上記の方式により、当業者は本発明の範囲内で作動モードによりさまざまな変化を行うことをができる。
【図１】
2020175120.tif 000003
【図２】
2020175120.tif 000004
【図３】
2020175120.tif 000005
【図４】
2020175120.tif 000006